(57)【要約】      （修正有）【課題】履き口に足を通すことに困難性を有する老人や身障者にとって脱ぎ履きが極めて容易である靴を提供する。【解決手段】甲被踵部１２の上辺の中央近傍の左右に２の端部を有し左右の側甲被の靴底近辺を通り甲被つま先部１５を周回する一連のファスナー４を有し、ファスナーを開放することにより甲被部分が靴底２から分離する。ファスナーは、閉鎖時において２の端部に１ずつ計２のスライダー６を有し、２のスライダーを甲被つま先部近辺まで滑動させることによりファスナーが開き、甲被が甲被つま先部の一部を残して靴底から解放される。この状態で、使用者は靴底上に足を置きファスナーを閉めるだけで靴を履くことができる。また、ファスナーは、閉鎖時において２の端部に位置する２のスライダーのうち１のスライダーのみを甲被つま先部を周回させ他の端部まで滑動させることにより完全に解放され、甲被が靴底から完全に分離する。【選択図】図５
0003199079.tif 000002
【実用新案登録請求の範囲】
【請求項１】
靴底と甲被とを分離することができる靴であって、甲被踵部の上辺の中央近傍の左右に２の端部を有し左右の側甲被の靴底近辺を通り甲被つま先部を周回する一連のファスナーを有することを特徴とする靴。
【請求項２】
前記ファスナーは、ファスナー閉鎖時において前記２の端部に１ずつ計２のスライダーを有し、前記２のスライダーを前記甲被つま先部近辺まで滑動させることにより前記ファスナーが前記甲被つま先部近辺まで開き、前記甲被が前記甲被つま先部を残して前記靴底から解放されることを特徴とする請求項１記載の靴。
【請求項３】
前記ファスナーは、ファスナー閉鎖時において前記２の端部に位置する前記２のスライダーのうち１のスライダーのみを前記甲被つま先部を周回させ他の端部まで滑動させることにより完全に解放され、前記甲被が前記靴底から完全に分離することを特徴とする請求項１又は２記載の靴。
【考案の詳細な説明】
【技術分野】
【０００１】
本考案は、甲被全体が靴底から着脱自在である構造を有する靴に関する。
【背景技術】
【０００２】
従来の紐締め靴に代わり、脱ぎ履きが簡単な靴として、甲被の中央又は側甲被に数センチメートルの長さのファスナーが設けられていることにより履き口を広げることができるものや、甲被中央の解放部分に面ファスナー付の舌片が設置されていてワンタッチで脱ぎ履きできるものが市販されている。
【先行技術文献】
【特許文献】
【０００３】
【特許文献１】特開２００６−１３００４０号
【特許文献２】特開２００６−１３０２８０号
【特許文献３】実用新案登録第３１５６０３２号
【考案の概要】
【考案が解決しようとする課題】
【０００４】
ファスナーによって履き口をある程度広げることができる靴や面ファスナー付の舌片によってワンタッチで脱ぎ履きができる靴は、一定程度履き口を広く利用できるようになった分、紐締めの靴より脱ぎ履きが楽になっているが、老人や身障者にとっては、履き口に足を通す時の困難さが解消されているとは言えない。
【０００５】
特許文献１には、ベロ部分が全面開放できるように紐穴部分の両外側にファスナーを取り付けたズック靴の発明が開示されている。また、特許文献２には甲被踵部に履き口から鉛直下方向にファスナーを取り付けて前記甲被踵部が縦に割れる構造の靴の発明が開示されている。さらに、特許文献３には左右の側甲被のどちらかに履き口から斜め下方向にファスナーを設置して履き口を広げた靴の甲被構造についての考案が開示されている。
【０００６】
しかしながら、上記３文献に開示された靴は、いずれも脱ぎ履き時に、靴の履き口の面積を大きくする点に重点を置く従来の技術的思想から脱却していないため、履き口に足を通すこと自体に困難性を有する上記老人や身障者にとっては効果的な発明であるとは言い難い。
【０００７】
上述の問題に鑑み、本考案においては、履き口に足を通すこと自体に困難性を有する上記老人や身障者にとって脱ぎ履きが極めて容易である靴を提供することを課題とする。
【課題を解決するための手段】
【０００８】
上記課題を解決するために、本考案に係る靴は、甲被踵部の上辺の中央近傍の左右に２の端部を有し左右の側甲被の靴底近辺を通り甲被つま先部を周回する一連のファスナーを有し、該ファスナーを開放することにより、ほぼ全ての甲被部分が靴底から分離することを特徴とする。
【０００９】
具体的には、前記ファスナーは、ファスナー閉鎖時において前記２の端部に１ずつ計２のスライダーを有し、前記２のスライダーを甲被つま先部近辺まで滑動させることによりファスナーが開き、甲被が前記甲被つま先部の一部を残して靴底から解放される。この状態で、使用者は靴底上に足を置きファスナーを閉めるだけで靴を履くことができる。
【００１０】
また、前記ファスナーは、ファスナー閉鎖時において前記２の端部に位置する２のスライダーのうち１のスライダーのみを甲被つま先部を周回させ他の端部まで滑動させることにより完全に解放され、甲被が靴底から完全に分離する。
【考案の効果】
【００１１】
本考案に係る靴は、２つのスライダーによって踵部からつま先部まで開き、ほぼ全ての甲被部分がつま先部を残して靴底から分離する点において、履き口を広げることにより履き易さを求める従来の靴とは技術思想が根本的に異なる。本考案に係る靴の提供により、履き口に足を通すこと自体に困難性を有する老人や身障者は、解放された靴底の上に足を置きファスナーを閉めるだけで靴を履くことができ、また、脱ぐときもファスナーを動かすだけで靴を足から外すことできるようになる。
【００１２】
甲被が靴底から着脱可能であるため、甲被のみを水洗いしたり、甲被を完全に取り外して靴底の掃除を行うなど、靴の手入れが容易になる。
【００１３】
取り換え可能な複数の甲被を準備した靴の販売はこれまでに例がない。本考案に係る靴をマーケットに投入することにより、一足の靴によって複数のデザインや機能を追求する新たな靴市場の創出が可能となる。
【図面の簡単な説明】
【００１４】
【図１】本実施形態の靴の斜視図である。
【図２】本実施形態の靴の平面図である。
【図３】本実施形態の靴の背面図である。
【図４】本実施形態の靴の側面図である。
【図５】つま先部を残して甲被を分離した状態を示す側面図である。
【図６】甲被と靴底を完全分離した状態を示す側面図である。
【考案を実施するための形態】
【００１５】
以下、本考案の実施形態について図を用いて説明する。
図１に示すように、本考案に係る靴には甲被１を1周する一連のファスナー４が設置されている。ファスナー４は、図２（平面図）及び図３（背面図）に示すように、スライダー５及び６を有し、甲被踵部１２の上辺の端部４１から発出し、側甲被１３の靴底近辺を通り、甲被つま先部１５を周回し、反対側の側甲被１４の靴底近辺を通り、甲被踵部１２の上辺の端部４２で終結する。
【００１６】
脱ぎ履きの際には、端部４１に位置するスライダー５と端部４２に位置するスライダー６を甲被つま先部１５近辺まで滑動させることにより、甲被１が甲被つま先部１５を残し靴底２から分離する（図５）。図４はファスナー４の閉鎖時における本靴の側面図を示し、図５はファスナー４をつま先部１５まで解放した時の本靴の側面図を示す。
【００１７】
さらに、本靴は次のような手順により甲被１を靴底２から完全に分離させることができる。すなわち、ファスナー閉鎖状態において端部４１に位置するスライダー５のみを動かし、甲被つま先部１５を周回させ端部４２まで滑動させた後にスライダー５、６からファスナーを抜くことにより甲被１と靴底２が離れる（図６）。
【００１８】
前述の方法により分離させた甲被１と靴底２は別々に手入れすることが可能となるほか、複数の甲被が用意されている場合には、嗜好や天候に合わせて甲被１を使い分けることが可能となる。
【００１９】
また、本考案に係る靴も通常の靴と同様、履き口３を有することから、使用者は脱ぎ履きの際に、ファスナー４を開く方法と、ファスナー４は閉じたまま履き口３に足を通す従来の方法のいずれかを採用するといった選択が可能となる。
【００２０】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することが可能である。例えば、「靴」にはズック、運動靴、雨靴等、甲被を有する履物全てが含まれ、素材についても革、ビニール等を問わない。また、紐閉めや面ファスナーによるワンタッチ方式等の公知技術と本考案に係る技術とを併用した実施形態も可能であり、それらについての実施は本考案の技術的範囲に含まれるものと解する。  
【符号の説明】
【００２１】
１    甲被
１２  甲被踵部
１３  側甲被
１４  側甲被
１５  甲被つま先部
２    靴底
３    履き口
４    ファスナー
４１  ファスナー端部
４２  ファスナー端部
５    スライダー
６    スライダー
【図１】
0003199079.tif 000003
【図２】
0003199079.tif 000004
【図３】
0003199079.tif 000005
【図４】
0003199079.tif 000006
【図５】
0003199079.tif 000007
【図６】
0003199079.tif 000008